(57)【特許請求の範囲】
【請求項１】
少なくとも、対向する側面にそれぞれ設ける側面板と、該側面板に設ける把手部材とを含んでなり、該側面板に該把手部材に対応する把手部溝を形成して該把手部材を該把手部溝内に設け、
前記包装箱がさらに位置制限部材を含み、把手部溝の少なくとも一端が開放端であって、該把手部溝の開放端のコーナーの位置に挿入溝を形成し、該位置制限部材を該挿入溝に挿設し、
前記位置制限部材は、コーナー挿入板と、位置決めブロックと、によってなり該位置決めブロックの一方の側の角と該コーナー挿入板の角とを接続して固定し、該コーナー挿入板を該挿入溝に挿入し、かつ該位置決めブロックの外側表面と側面板の表面は平坦にして揃える
ことを特徴とする包装箱。
【請求項２】
請求項１に記載の包装箱において、
前記コーナー挿入板と該位置決めブロックの底端を平坦にして揃え、かつ該コーナー挿入板の上端は該位置決めブロックの上端より高くする
ことを特徴とする包装箱。
【請求項３】
請求項１または請求項２に記載の包装箱において、
前記該把手部材の断面形状が台形を呈し、かつ該台形の鋭角が該側面板の上面に向かっている
ことを特徴とする包装箱。
【請求項４】
請求項１から請求項３のいずれかに記載の包装箱において、
前記把手部材が鋼板かアルミ合金を材料としてなる
ことを特徴とする包装箱。
【請求項５】
請求項１から請求項４のいずれかに記載の包装箱において、
前記位置制限部材が発泡材によってなる
ことを特徴とする包装箱。
【発明の詳細な説明】
【技術分野】
【０００１】
この発明は、物品の運送に関し、特に包装箱に関する。
【背景技術】
【０００２】
液晶表示装置の生産領域において、液晶表示装置の生産は、アッセンブリー工程を含み、液晶表示パネル、メインコントロール回路、ハウジングなどの部品を組み立てる。それぞれの部品は先にパッケージして保管し、後続のアッセンブリー工程で液晶表示装置全体を組み立てる。液晶表示パネルは生産が完成した後、液晶表示パネル用の包装箱に保管し、次いで箱ごと組立部門に送る。
【０００３】
それぞれの部品を包装する場合、通常は一定の強度を具えた発泡材によってなる箱を用いて液晶表示パネルを包装する。図１は従来の技術による液晶表示パネル用包装箱を示した説明図である。図２は従来の液晶表示パネル用包装箱に対して機械アームを用いて運ぶ場合に包装箱が滑り落ちる状況を示した説明図である。液晶表示パネル用包装箱は、箱本体２００を具え、筐体２００の対向する側壁の外面には内側に窪んで凹状を呈する把手部１００を形成し、機械アーム３００か、もしくは人の手で側壁外面に凹状に形成した把手部１００を挟持して液晶パネル用包装箱を支持する。液晶表示パネル用包装箱は発泡材によって形成される。発泡材は、材質が比較的柔らかく、且つ構造上の制限によって挟持部１００を形成する深さを深くできない場合がある。よって、液晶表示パネル用箱を運搬する過程において、重力の作用によって容易に弯曲し、変形し、このため図２に開示するように挟持する機械アーム３００、もしくは人の手から液晶表示パネル用包装箱が滑り出て、最終手的に液晶表示パネル用包装箱が落下する。また、発泡剤は材質が柔らかいため、機械アーム３００で運搬する過程において液晶表示パネル用包装箱の局部的な破損が容易に生じ、液晶表示パネル用包装箱が毀損して浪費になる。
【発明の概要】
【発明が解決しようとする課題】
【０００４】
上述する従来の技術に見られる問題を解決するために、この発明は液晶表示パネルなどの物品を入れて搬送するための包装箱であって、機械アームによる損傷を防ぎ、包装材の浪費を減少させるとともに、機械アーム、又は人の手で挟持して支持した場合、容易に滑り落ちることなく、落下による破損を防ぐことのできる包装箱を提供することを課題とする。
【課題を解決するための手段】
【０００５】
上述する従来の技術に見られる問題を解決するために、この発明による包装箱は、少なくとも、対向する側面にそれぞれ設ける側面板と、該側面板に設ける把手部材とを含んでなり、該側面板に該把手部材に対応する把手部溝を形成して該把手部材を該把手部溝内に設ける。
【０００６】
また、前記該把手部材の断面形状が台形を呈し、かつ該台形の鋭角が該側面板の上面に向かっている。
【０００７】
また、前記包装箱がさらに位置制限部材を含み、把手部溝の少なくとも一端が開放端であって、該把手部溝の開放端のコーナーの位置に挿入溝を形成し、該位置制限部材を該挿入溝に挿設する。
【０００８】
また、前記位置制限部材は、コーナー挿入板と、位置決めブロックと、によってなり該位置決めブロックの一方の側の角と該コーナー挿入板の角とを接続して固定し、該コーナー挿入板を該挿入溝に挿入し、かつ該位置決めブロックの外側表面と側面板の表面は平坦にして揃える。
【０００９】
また、前記コーナー挿入板と該位置決めブロックの底端を平坦にして揃え、かつ該コーナー挿入板の上端は該位置決めブロックの上端より高くする。
【００１０】
また、前記コーナー挿入板と該位置決めブロックの底端を平坦にして揃え、かつ該コーナー挿入板の上端は該位置決めブロックの上端より高くする。
【００１１】
また、前記位置制限部材が発泡材によってなる。
【００１２】
この発明による液晶表示パネル用包装箱を機械アームで運搬する場合、機械アームは把手部材内に嵌入する。把手部材は硬質、剛性を有する材料によってなるため、機械アームによって液晶表示パネル用包装箱が破損することを防ぎ、包装材の浪費を減少させる。また、把手部材は、断面の形状が台形を呈する構造であるため、機械アームが把手部材を介して液晶表示パネル用包装箱を挟持した場合、容易に滑り落ちることがなく、液晶表示パネル用包装箱の落下による損失を防ぐことができる。
【図面の簡単な説明】
【００１３】
【図１】従来の液晶表示パネル用包装箱を示した説明図である。
【図２】従来の液晶表示パネル用包装箱を機械アームで運搬する場合に滑り落ちる状況を示した説明図である。
【図３】実施例の液晶表示パネル用包装箱の組立を完了した状態を示した斜視図である。
【図４】実施例の液晶表示パネル用包装箱を構成する各部材を示した説明図である。
【図５】実施例の液晶表示パネル用包装箱を運搬する状態を示した説明図である。
【発明を実施するための形態】
【００１４】
以下、図面を参照にしてこの発明の好ましい実施の形態を説明する。但し、この発明は多くの異なる実施の形態とすることができる。よって、この発明は、以下に述べる実施の形態によって、実施の範囲が限定されるものではない。以下の説明は、この発明の原理と実際の応用を実施例によって解釈するものである。よって当業者がこの発明の各種実施の形態を理解し、これに適合し、かつ予期される特定の各種修正、変更などを行うことは可能である。添付する図面においては、はっきり説明するために、部材の形状と寸法を拡大した。同様の符号は同一、または近似する部材を表わす。
【実施例】
【００１５】
図３は、この発明の実施の形態による液晶表示パネル用包装箱の組立を完了した状態を示した斜視図である。図４は、この発明の実施の形態による液晶表示パネル用包装箱を構成する各部材を示した説明図である。図５は、この発明の実施の形態による液晶表示パネル用包装箱を運搬する状態を示した説明図であって、特に搬送する際の滑り落ち及び破損防止構造を具えた液晶表示パネル用包装箱の挟持部の断面構造を示す。
【００１６】
図３から５に開示するように、実施例の液晶表示パネル用包装箱は、４枚の側面板１１、１２、１３、１４が囲繞して収納空間を形成し、該収納空間液晶表示パネルを載置する。側面板１１と側面板１３とは対向して設け、側面板１２と側面板１４とは対向して設ける。実施例において、側面板１１と１３には、いずれも把手部材２０に対応した形状の把手部溝３０を形成する。把手部材２０は、対応する把手部溝３０に嵌着させて設ける。実施例において把手部材２０は鋼板、もしくはアルミ合金、もしくはその他適宜なタイプの硬質、剛性を具える材料で形成する。よって、機械アームが把手部材２０によって液晶表示パネル用包装箱を挟持した場合、把手部材２０が硬質、剛性を具える材料によって形成されるため、機械アームが液晶表示パネル用包装箱の局部を破損することがなく、コストを節約できる。
【００１７】
また、他の実施の形態として、側面板１２と側面板１４とにも、把手部材２０に対応した形状の把手部溝３０をそれぞれ対向して形成する。把手部材２０の数は４つになる。
【００１８】
実施例において、把手部材２０の断面は台形を呈し、かつ台形の鋭角は、いずれも側面板１１、又は側面板１３の上面に向かっている。係る設計は、例えば図５に開示するように、機械アーム６０が実施例の液晶表示パネル用包装箱を挟持した場合、滑って液晶表示パネル用包装箱が落下することを防ぐ。相対的に、把手部溝３０の形状も、把手部材２０の断面形状に対応する台形にすることで、把手部材２０を把手部溝３０に嵌着することができる。
【００１９】
把手部材２０の取付けの便宜を図るために、実施例においては把手部溝３０の一端を開放端とする。但し、この発明においては、係る形態に制限することはない。例えば把手部溝３０の両端を開放端としてもよい。係る実施の形態によれば、把手部材２０把手部溝３０の開放端から把手部溝３０内に挿設することができる。別途、把手部溝３０に挿設した把手部材２０が滑り出ることを防ぐために、実施例ではさらに把手部溝３０の開放端のコーナーの位置に挿入溝４０を形成し、発泡材によってなる位置制限部材５０を挿入溝４０に挿設する。位置制限部材５０はコーナーの欧入溝４０に挿設されて、把手部材２０が把手部溝３０から滑り出ることを防ぐ。
【００２０】
更に、位置制限部材５０は、コーナー挿入板５１と、位置決めブロック５２と、によってなる。位置決めブロック５２の一方の側の角とコーナー挿入板５１の角とを接続して固定し、コーナー挿入板５１を挿入溝４０に挿入する。また、コーナー挿入板５１と位置決めブロック５２の底端は平坦にして揃え、同時に位置決めブロック５２の外側表面と側面板の表面は平坦にして揃える。同時に、コーナー挿入板５１の上端は位置決めブロック５２の上端より高くすることで、位置制限部材５０を取り出しやすくする。同時に側面板上の内側に近い凸出部の設計要求に応じるものとなる。
【００２１】
以上をまとめると、この発明の実施例による液晶表示パネル用包装箱を機械アームで運搬する場合、機械アームは把手部材内に嵌入する。把手部材は硬質、剛性を有する材料によってなるため、機械アームによって液晶表示パネル用包装箱が破損することを防ぎ、包装材の浪費を減少させる。また、把手部材は、断面の形状が台形を呈する構造であるため、機械アームが把手部材を介して液晶表示パネル用包装箱を挟持した場合、容易に滑り落ちることがなく、液晶表示パネル用包装箱の落下による損失を防ぐことができる。
【００２２】
図面を参照にして実施例を特定してこの発明について説明したが、但し、当業者であればこの発明を理解し、この発明の特許請求の範囲内、もしくは均等の効果を有する範囲内で、この発明の精神に基づき各種形式の変化、局部的な変更を加えることは可能である。
【符号の説明】
【００２３】
１１    側面板
１２    側面板
１３    側面板
１４    側面板
２０    把手部材
３０    把手部溝
４０    挿入溝
５０    位置制限部材
５１    コーナー挿入板
５２    位置決めブロック
６０    機械アーム
【図１】
0006360968.tif 000002
【図２】
0006360968.tif 000003
【図３】
0006360968.tif 000004
【図４】
0006360968.tif 000005
【図５】
0006360968.tif 000006